(57)【要約】      （修正有）【課題】初期費用を低減すると共に、小ロット生産に対して容易に対応可能なポール取付け金具を提供する。【解決手段】被取付け部材をポールに取付けるポール取付け金具１であって、上端部及び下端部が屈曲され第１屈曲部１３が形成されると共に、該第１屈曲部１３の中央に所要の角度を有し、前記ポールが嵌合するＶ字状の第１切欠き部１４が形成された第１板金部材１１と、上端部及び下端部が屈曲され第２屈曲部１７が形成されると共に、該第２屈曲部１７の中央に前記第１切欠き部１４とは異なる角度を有し、前記ポールが嵌合するＶ字状の第２切欠き部１８が形成された第２板金部材１２とを具備し、前記第１板金部材１１と前記第２板金部材１２とを貼合せて一体化した。【選択図】図１
2011229088.tif 000002
【特許請求の範囲】
【請求項１】
被取付け部材をポールに取付けるポール取付け金具であって、上端部及び下端部が屈曲され第１屈曲部が形成されると共に、該第１屈曲部の中央に所要の角度を有し、前記ポールが嵌合するＶ字状の第１切欠き部が形成された第１板金部材と、上端部及び下端部が屈曲され第２屈曲部が形成されると共に、該第２屈曲部の中央に前記第１切欠き部とは異なる角度を有し、前記ポールが嵌合するＶ字状の第２切欠き部が形成された第２板金部材とを具備し、前記第１板金部材と前記第２板金部材とを貼合せて一体化したことを特徴とするポール取付け金具。
【発明の詳細な説明】
【技術分野】
【０００１】
本発明は、アンテナや携帯電話の中継器等の部材をポールに取付ける際に用いるポール取付け金具、特に異なる径のポールに取付け可能なポール取付け金具に関するものである。
【背景技術】
【０００２】
先ず、図４に於いて、従来のポール取付け金具について説明する。尚、図４中、１はポール取付け金具を示し、２はアンテナや携帯電話の中継器等の部材のポール取付け部を示している。
【０００３】
前記ポール取付け金具１は、金型に溶融金属を流込んで成形する鋳造品であり、１面には円筒状の曲面を有する大径用凹部３が上下方向に延在する様形成され、該大径用凹部３の裏面には、該大径用凹部３よりも径の小さい円筒状の曲面を有する小径用凹部４が上下方向に延在する様形成されている。
【０００４】
又、前記ポール取付け金具１の上端部及び下端部には、前記大径用凹部３の両端部からそれぞれ水平方向に延出するフランジ部５が計４箇所に形成され、該フランジ部５には図示しないボルトが挿通可能な孔６が穿設されている。
【０００５】
前記ポール取付け部２には、円筒状の曲面を有するポール取付け凹部７が上下方向に延在する様形成されると共に、前記ポール取付け部２の上端部及び下端部には、前記ポール取付け凹部７の両端部からそれぞれ水平方向に延出するフランジ部８が計４箇所に形成され、該フランジ部８にはネジ孔９が穿設されている。
【０００６】
前記ポール取付け部２に図示しないポールを取付ける際には、前記ポール取付け凹部７に前記ポールを嵌込む。ポールの径が大きい場合は、前記ポール取付け部２と対向する様に前記ポール取付け金具１の前記大径用凹部３を前記ポールに嵌込んだ後、図示しないボルトを前記孔６に挿して前記ネジ孔９に螺入させ、締込むことで、前記ポール取付け金具１と前記ポール取付け部２とによってポールが挟込まれ、前記ポール取付け部２にポールが取付けられる様になっている。又、ポールが小径の場合は、同様にして前記小径用凹部４をポールに嵌込み、ボルトを介してポールを前記ポール取付け金具１と前記ポール取付け部２とで挟込む。
【０００７】
然し乍ら、従来の前記ポール取付け金具１は鋳造にて成形しているので、金型代等の多額の初期費用が発生し、コストが嵩むという問題があった。
【先行技術文献】
【特許文献】
【０００８】
【特許文献１】特開２００６−２１７１３０号公報
【発明の概要】
【発明が解決しようとする課題】
【０００９】
本発明は斯かる実情に鑑み、初期費用を低減すると共に、小ロット生産に対して容易に対応可能なポール取付け金具を提供するものである。
【課題を解決するための手段】
【００１０】
本発明は、被取付け部材をポールに取付けるポール取付け金具であって、上端部及び下端部が屈曲され第１屈曲部が形成されると共に、該第１屈曲部の中央に所要の角度を有し、前記ポールが嵌合するＶ字状の第１切欠き部が形成された第１板金部材と、上端部及び下端部が屈曲され第２屈曲部が形成されると共に、該第２屈曲部の中央に前記第１切欠き部とは異なる角度を有し、前記ポールが嵌合するＶ字状の第２切欠き部が形成された第２板金部材とを具備し、前記第１板金部材と前記第２板金部材とを貼合せて一体化したポール取付け金具に係るものである。
【発明の効果】
【００１１】
本発明によれば、被取付け部材をポールに取付けるポール取付け金具であって、上端部及び下端部が屈曲され第１屈曲部が形成されると共に、該第１屈曲部の中央に所要の角度を有し、前記ポールが嵌合するＶ字状の第１切欠き部が形成された第１板金部材と、上端部及び下端部が屈曲され第２屈曲部が形成されると共に、該第２屈曲部の中央に前記第１切欠き部とは異なる角度を有し、前記ポールが嵌合するＶ字状の第２切欠き部が形成された第２板金部材とを具備し、前記第１板金部材と前記第２板金部材とを貼合せて一体化したので、前記ポールの径が異なる場合であっても前記被取付け部材を前記ポールに取付けることができ、更に成形時の初期費用を低減できると共に、小ロット生産に対して容易に対応可能であるという優れた効果を発揮する。
【図面の簡単な説明】
【００１２】
【図１】本発明に於けるポール取付け金具を示す斜視図である。
【図２】本発明のポール取付け金具を用い、径の大きいポールに被取付け部材を取付けた場合を示す斜視図である。
【図３】本発明のポール取付け金具を用い、径の小さいポールに被取付け部材を取付けた場合を示す斜視図である。
【図４】従来のポール取付け金具を示す斜視図である。
【発明を実施するための形態】
【００１３】
以下、図面を参照しつつ本発明の実施例を説明する。
【００１４】
図１〜図３に於いて、本発明のポール取付け金具及び、該ポール取付け金具を用いた被取付け部材のポールへの取付け方法について説明する。尚、図１〜図３中、図４中と同等のものには同符号を付し、その説明を省略する。
【００１５】
先ず、本発明に於けるポール取付け金具１の構造について説明する。
【００１６】
該ポール取付け金具１は、第１板金部材１１と第２板金部材１２から構成されている。前記第１板金部材１１は、上端部及び下端部が前記第２板金部材１２とは逆側方向に直角に屈曲されることで水平方向に延びる第１屈曲部１３，１３が形成されている。
【００１７】
又、該第１屈曲部１３，１３の中央には、中心角が鈍角となっているＶ字状の第１切欠き部である大径ポール用切欠き部１４，１４が形成され、該大径ポール用切欠き部１４，１４に臨む前記第１屈曲部１３，１３の板端面にはポール１５に取付けた際に滑止めとなる様凹凸部１６，１６が形成されている。
【００１８】
前記第２板金部材１２も、前記第１板金部材１１と同様、上端部及び下端部が前記第１板金部材１１とは逆側方向に直角に屈曲されることで水平方向に延びる第２屈曲部１７，１７が形成されている。該第２屈曲部１７，１７の中央には、中心角が鈍角となっているＶ字状の第２切欠き部である小径ポール用切欠き部１８，１８が形成され、該小径ポール用切欠き部１８，１８の中心角は前記大径ポール用切欠き部１４，１４の中心角より小さい鈍角となっている。又、前記小径ポール用切欠き部１８，１８に臨む前記第２屈曲部１７，１７の板端面には、前記ポール１５を取付けた際に滑止めとなる様、凹凸部１９，１９が形成されている。
【００１９】
上記した前記第１板金部材１１と前記第２板金部材１２とはスポット溶接等所要の手段で貼合され、前記第１板金部材１１と前記第２板金部材１２とを貼合せることで、前記ポール取付け金具１が一体化される。尚、前記第１板金部材１１と前記第２板金部材１２とを貼合せた状態では、前記第１屈曲部１３，１３と前記第２屈曲部１７，１７とがそれぞれ同一平面上となる様になっている。
【００２０】
又、前記ポール取付け金具１の両側端部且つ上下方向の中央には、前記ポール１５に取付ける為のボルトを挿通する大径ポール用孔２１，２１が前記第１板金部材１１と前記第２板金部材１２を貫通して穿設され、前記大径ポール用孔２１，２１の内側にはボルトを挿通可能な小径ポール用孔２２，２２が前記第１板金部材１１と前記第２板金部材１２を貫通して穿設されている。
【００２１】
次に、前記ポール取付け金具１を用い、アンテナや携帯電話の中継器等の被取付け部材２３のポール取付け部２に前記ポール１５を取付ける場合について説明する。
【００２２】
該ポール取付け部２は前記被取付け部材２３の背面に設けられ、前記ポール取付け部２には円筒状の曲面を有するポール取付け凹部７が上下方向に延在する様形成されると共に、大径ポール用ネジ孔２４，２４及び小径ポール用ネジ孔２５，２５が、それぞれ前記ポール取付け凹部７に対して対称となる様穿設されている。尚、前記大径ポール用ネジ孔２４，２４及び前記小径ポール用ネジ孔２５，２５は、前記ポール１５に前記被取付け部材２３を取付ける際にそれぞれ前記ポール取付け金具１の前記大径ポール用孔２１，２１及び前記小径ポール用孔２２，２２と対向する様になっている。
【００２３】
図２に示される様に、前記被取付け部材２３に径の大きい大径ポール１５ａを取付ける場合には、先ず前記ポール取付け部２の前記ポール取付け凹部７に前記大径ポール１５ａを嵌込む。
【００２４】
次に、前記ポール取付け金具１を前記大径ポール用切欠き部１４，１４が前記ポール取付け凹部７に対向する様に配置し、前記第１板金部材１１の前記大径ポール用切欠き部１４，１４を前記大径ポール１５ａに嵌込み、該大径ポール１５ａを前記ポール取付け部２と前記ポール取付け金具１とで挟込む。この状態では、前記大径ポール用孔２１，２１と前記大径ポール用ネジ孔２４，２４とが対向している。
【００２５】
最後に、前記ボルト２６，２６を前記大径ポール用孔２１，２１に挿通し、前記大径ポール用ネジ孔２４，２４に螺入し、締込むことで、前記大径ポール１５ａが前記ポール取付け金具１と前記被取付け部材２３に挟込まれて取付けられる。
【００２６】
又、図３に示される様に、前記被取付け部材２３に径の小さい小径ポール１５ｂを取付ける場合には、先ず前記ポール取付け部２の前記ポール取付け凹部７に前記小径ポール１５ｂを嵌込む。
【００２７】
次に、前記ポール取付け金具１を前記小径ポール用切欠き部１８，１８が前記ポール取付け凹部７に対向する様に配置し、前記第２板金部材１２の前記小径ポール用切欠き部１８，１８を前記小径ポール１５ｂに嵌込み、該小径ポール１５ｂを前記ポール取付け部２と前記ポール取付け金具１とで挟み込む。この状態では、前記小径ポール用孔２２，２２と前記小径ポール用ネジ孔２５，２５とが対向している。
【００２８】
最後に、ボルト２６，２６を前記小径ポール用孔２２，２２に挿通し、前記小径ポール用ネジ孔２５，２５に螺入し、締込むことで、前記小径ポール１５ｂが前記ポール取付け金具１と前記被取付け部材２３に挟込まれて取付けられる。
【００２９】
而して、前記ポール１５の径が大きい場合であっても、小さい場合であっても、同一の前記ポール取付け金具１を用いて前記被取付け部材２３に前記ポール１５を取付けることができる。
【００３０】
上述の様に、本発明に於ける前記ポール取付け金具１は、前記第１板金部材１１と前記第２板金部材１２の上端部及び下端部をそれぞれ屈曲させ、前記第１屈曲部１３，１３及び前記第２屈曲部１７，１７に角度の異なる前記大径ポール用切欠き部１４，１４及び前記小径ポール用切欠き部１８，１８をそれぞれ形成し、更に前記第１板金部材１１と前記第２板金部材１２とを貼合せることで構成されるので、前記ポール取付け金具１を成形する際に、鋳造用の金型を用意する必要がなく、成形時に於ける金型作成等の初期費用を低減できると共に、小ロット生産時に於ける生産単価を抑えることができ、小ロット生産への対応が容易となる。
【００３１】
更に、前記大径ポール用切欠き部１４，１４及び前記小径ポール用切欠き部１８，１８に臨む、前記第１屈曲部１３，１３及び前記第２屈曲部１７，１７の板端面に、それぞれ前記凹凸部１６，１６及び前記凹凸部１９，１９を形成したので、前記ポール取付け金具１と前記ポール１５との接触面積が減少し、それに伴い接触圧力が増加し、前記ポール取付け金具１の前記ポール１５への固定能力を向上させることができる。
【００３２】
（付記）
又、本発明は以下の実施の態様を含む。
【００３３】
（付記１）被取付け部材をポールに取付けるポール取付け金具であって、上端部及び下端部が屈曲され第１屈曲部が形成されると共に、該第１屈曲部の中央に所要の角度を有し、前記ポールが嵌合するＶ字状の第１切欠き部が形成された第１板金部材と、上端部及び下端部が屈曲され第２屈曲部が形成されると共に、該第２屈曲部の中央に前記第１切欠き部とは異なる角度を有し、前記ポールが嵌合するＶ字状の第２切欠き部が形成された第２板金部材とを具備し、前記第１板金部材と前記第２板金部材とを貼合せて一体化したことを特徴とするポール取付け金具。
【００３４】
（付記２）前記第１切欠き部及び前記第２切欠き部に臨む前記第１屈曲部及び前記第２屈曲部の板端面には、それぞれ凹凸部が形成された付記１のポール取付け金具。
【符号の説明】
【００３５】
１              ポール取付け金具
２              ポール取付け部
１１            第１板金部材
１２            第２板金部材
１４            大径ポール用切欠き部
１５            ポール
１６            凹凸部
１８            小径ポール用切欠き部
１９            凹凸部
【図１】
2011229088.tif 000003
【図２】
2011229088.tif 000004
【図３】
2011229088.tif 000005
【図４】
2011229088.tif 000006